【手続補正書】
【提出日】平成28年6月24日(2016.6.24)
【手続補正１】
【補正対象書類名】特許請求の範囲
【補正対象項目名】全文
【補正方法】変更
【補正の内容】
【特許請求の範囲】
【請求項１】
マイクロキャビティアレイの単一のマイクロキャビティから生物学的素子を含む溶液を抽出する方法であって、各マイクロキャビティが電磁放射吸収性材料と関連付けられ、
前記材料を発熱させるか或いは前記試料を膨張させるために、電磁放射を前記材料に集束させるステップを含み、該ステップが前記マイクロキャビティから試料の少なくとも一部を排出する、方法。
【請求項２】
前記材料は前記マイクロキャビティ中の粒子を含む、請求項１に記載の方法。
【請求項３】
前記粒子は磁性である、請求項２に記載の方法。
【請求項４】
前記材料は、前記マイクロキャビティの少なくとも一部を被覆するか又は覆う、請求項１に記載の方法。
【請求項５】
前記電磁放射は前記材料を膨張させる、請求項１から４のいずれか一項に記載の方法。
【請求項６】
前記電磁放射は前記材料を加熱する、請求項１から４のいずれか一項に記載の方法。
【請求項７】
前記材料は前記アレイのキャビティの間の光透過を防止する、請求項１又は４に記載の方法。
【請求項８】
前記材料は、前記アレイの片側と接着された粘着層を含む、請求項１に記載の方法。
【請求項９】
端部から内容物が排出することを防止するために、マイクロキャビティの一端部を覆うステップをさらに含む、請求項１に記載の方法。
【請求項１０】
前記粒子は結合剤により機能化される、請求項１から９のいずれか一項に記載の方法。
【請求項１１】
前記電磁放射は焦点スポットを含む、請求項１から１０のいずれか一項に記載の方法。
【請求項１２】
前記スポットのサイズがマイクロキャビティの直径より小さく、好ましくは前記マイクロキャビティがキャピラリである、請求項１１に記載の方法。
【請求項１３】
前記試料の少なくとも一部が吸湿性捕捉表面に排出される、請求項１から１２のいずれか一項に記載の方法。
【請求項１４】
前記吸湿性捕捉表面は吸湿性材料層を有する光学表面を含む、請求項１３に記載の方法。
【請求項１５】
前記吸湿性材料層がグリセロールを含む、請求項１４に記載の方法。
【請求項１６】
試料中の分析物を検出する方法であって、
試料溶液を含む反応容器に、第一粒子及び電磁放射を放出する第一標識を加えるステップであって、前記第一標識が前記第一粒子に結合されるか、又は前記試料中の前記分析物の存在又は不存在の結果として、前記第一標識が前記第一粒子に結合する、ステップと、
電磁放射が第一検出表面を通って前記試料の内外に透過するのを阻止するために、前記第一粒子を前記第一検出表面に堆積させるステップと、
前記第一検出表面から放出される電磁放射の存在又は量を検出するステップと、
を含む、方法。
【請求項１７】
前記容器がマイクロキャビティを備え、前記第一表面が前記試料溶液の第一メニスカスを備える、請求項１６に記載の方法。
【請求項１８】
前記試料中の前記の存在又は不存在の結果として、前記標識が前記粒子から解放される、請求項１６に記載の方法。
【請求項１９】
前記試料に加えられる力の結果として、前記第一粒子が前記検出表面に堆積し、前記力が重力、磁力、電気力、遠心力、対流力及び音響力からなる群から選択される、請求項１６に記載の方法。
【請求項２０】
前記試料溶液中で前記第一粒子を移動させるために、磁界を加えることによって前記試料を混合するステップをさらに含み、前記第一粒子が磁性である、請求項１７に記載の方法。
【請求項２１】
電磁放射を放出する第二標識、及び以下の特性、すなわち、形状、サイズ、密度、透磁率、電荷、及びオプティカルコーティングのうち少なくとも１つに基づき、前記第一粒子とは異なる第二粒子を前記容器に加えるステップであって、前記第二標識が前記第二粒子に結合されるか、又は前記試料中の第二分析物の存在又は不存在の結果として、前記第二標識が前記第二粒子に結合する、ステップと、
電磁放射が第二検出表面を通って前記試料の内外に透過するのを阻止するために、前記第二粒子を前記第二検出表面に堆積させるステップと、
前記第二検出表面にて前記第二粒子から放出される電磁放射の存在又は量を検出するステップと、
を含む、請求項１６に記載の方法。
【請求項２２】
第一力の結果として、前記第一粒子が前記第一検出表面に堆積して、第二力の結果として、前記第二粒子が前記第二検出表面に堆積し、前記第一力及び前記第二力が重力、磁力、電気力、遠心力、対流力及び音響力からなる群から個別に選択され、前記第一力及び前記第二力が前記試料に同時に、又は順番に加えられる、請求項２１に記載の方法。
【請求項２３】
電磁放射を放出する第二標識、及び以下の特性、すなわち、形状、サイズ、密度、透磁率、電荷、及びオプティカルコーティングのうち少なくとも１つに基づき、前記第一粒子とは異なる第二粒子を前記容器に加えるステップであって、前記第二標識が前記第二粒子に結合されるか、又は前記試料中の第二分析物の存在又は不存在の結果として、前記第二標識が前記第二粒子に結合する、ステップと、
電磁放射が前記第一検出表面を通って前記試料の内外に透過するのを阻止するために、前記第二粒子を前記第一検出表面に堆積させるステップであって、第一力の結果として、前記第一粒子が前記第一検出表面に堆積して、第二力の結果として、前記第二粒子が前記第一検出表面に堆積し、前記第一力及び前記第二力が重力、磁力、電気力、遠心力、対流力及び音響力からなる群から個別に選択され、前記第一力及び前記第二力が前記試料に順番に加えられる、ステップと、
前記第一検出表面から放出される電磁放射の存在又は量を検出するステップとを含む、請求項１６に記載の方法。
【請求項２４】
生物学的素子の不均質集団から標的生物学的素子を検出する方法であって、
前記生物学的素子の不均質集団をレセプタクルのアレイに分配するステップと、
活性化すると電磁放射を放出する第一標識及び粒子をアレイに加えるステップであって、前記第一標識が前記第一粒子に結合されるか、又は前記試料中の前記分析物の存在又は不存在の結果として、前記第一標識が前記第一粒子に結合する、ステップと、
前記レセプタクルのそれぞれで前記試料の表面に前記粒子を堆積させるために、力を前記アレイに加えるステップと、
前記レセプタクルから放出される電磁放射の存在又は量を識別し、それによって前記標的生物学的素子を含むレセプタクルを識別するステップと、
を含む、方法。
【請求項２５】
前記試料中の前記分析物の存在又は不存在の結果として、前記標識が前記第一粒子から解放される、請求項２４に記載の方法。
【請求項２６】
前記生物学的素子が、生体、細胞、タンパク質、核酸、脂質、糖、代謝産物、又は小分子である、請求項２４に記載の方法。
【請求項２７】
前記細胞が、組換えタンパク質を産生する形質転換細胞である、請求項２４に記載の方法。
【請求項２８】
前記組換えタンパク質が酵素であり、前記標識が前記酵素の基質である、請求項２５に記載の方法。
【請求項２９】
前記細胞が、組換え抗体を産生する形質転換細胞である、請求項２５に記載の方法。
【請求項３０】
前記試料が、各レセプタクルに単一の生物学的素子しか導入しないように意図された濃度で前記アレイに加えられる、請求項２４に記載の方法。
【請求項３１】
前記レセプタクルのアレイが、約１〜約５００マイクロメートルの直径を有する長手方向に融合した複数のキャピラリを備えるマイクロキャビティアレイを備える、請求項２４に記載の方法。
【請求項３２】
前記アレイが、前記アレイの１平方センチメートル当たり約３００〜６４，０００，０００個の前記キャピラリを備える、請求項３０に記載の方法。
【請求項３３】
前記マイクロキャビティの側壁が半透明ではない、請求項３０に記載の方法。
【請求項３４】
試薬を含む流体を前記アレイの上端に導入することによって、前記試薬を前記アレイに加える、請求項３１に記載の方法。